(57)【要約】      （修正有）【課題】ユーザーが好みの筆記体とそれに対応した操作体を軸筒内に交換可能に収容でき、しかも、筆記体及び操作体を迅速且つ確実に交換できる多芯筆記具を提供する。【解決手段】軸筒内に複数の筆記体を前後方向に移動可能に収容する。各々の筆記体を弾発体により後方に付勢する。各々の筆記体の後端に、各々の筆記体に対応した操作体を連結する。軸筒の側壁に前後方向に延びる複数の窓孔４１を径方向に貫設する。各々の窓孔４１から径方向外方に各々の操作体を突出させる。各々の筆記体を軸筒内から取り外し交換可能に構成する。軸筒が、前端孔３１を備えた前軸３と、該前軸３の後端部に着脱自在に連結される後軸４とからなる。後軸４が、窓孔４１と該窓孔４１を前方に開口させる切り欠き部４２とを備える。後軸４を前軸３から分離した際に、前記切り欠き部４２を介して操作体を、軸筒内から取り外し可能且つ軸筒内に挿入可能に構成する。【選択図】図５
0003143311.tif 000002
【実用新案登録請求の範囲】
【請求項１】
軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具であって、各々の筆記体を軸筒内から取り外し交換可能に構成するとともに、軸筒が、前端孔を備えた前軸と、該前軸の後端部に着脱自在に連結される後軸とからなり、前記後軸が、窓孔と該窓孔を前方に開口させる切り欠き部とを備え、前記後軸を前軸から分離した際に、前記切り欠き部を介して操作体を、軸筒内から取り外し可能且つ軸筒内に挿入可能に構成したことを特徴とする多芯筆記具。
【請求項２】
前記操作体と筆記体とを連結状態で、軸筒内から取り外し可能且つ軸筒内に挿入可能に構成した請求項１記載の多芯筆記具。
【請求項３】
後軸の前端部が切り欠き部によって複数に分割され、前軸の内部に、前記後軸の前端部が挿入可能な複数の係合孔を設けた請求項１または２記載の多芯筆記具。
【請求項４】
前軸の内壁に、弾発体の前端が軸方向に当接する弾発体支持部を設け、前記弾発体支持部外壁と前軸内壁との間に前記係合孔を形成した請求項３記載の多芯筆記具。
【請求項５】
前記前軸の内壁に、弾発体の前端が軸方向に当接する弾発体支持部を設け、前記弾発体支持部に、弾発体の前端部を径方向に保持する保持部を形成した請求項１乃至４のいずれかに記載の多芯筆記具。
【請求項６】
前記各々の操作体を、連結される筆記体の内部に収容されたインキの色に着色した請求項1乃至５のいずれかに記載の多芯筆記具。
【考案の詳細な説明】
【技術分野】
【０００１】
本考案は、多芯筆記具に関する。詳細には、軸筒内に複数の筆記体を収容した多芯筆記具に関する。
【背景技術】
【０００２】
従来この種の筆記具において、特許文献１には、各筆記体の後部に隆起部を設けた摺動体を連接し、隆起部を軸筒の外方に突出させ、隆起部を摺動体に着脱自在に装着したことにより、使用者の好みにあった筆記体に交換した際に、誤った筆記体の選択をすることなく、また隆起部の形状や色柄も選択可能とした構成が開示されている。
【特許文献１】特開２００３−１１５８３号公報
【考案の開示】
【考案が解決しようとする課題】
【０００３】
前記従来の多芯筆記具は、ユーザーが、交換前に軸筒内に収容されていた筆記体とは異なる種類の筆記体に交換する際、摺動体を軸筒内に残した状態で、摺動体から筆記体と隆起部とを取り外し、その後、摺動体に新たな筆記体と新たな隆起部とを取り付ける。そのため、筆記体の交換作業が複雑であり、ユーザーが迅速且つ確実な交換を行うことができないおそれがあり、さらに、複数の筆記体を同時に交換する場合、誤って、筆記体とその筆記体に対応しない隆起部とを一つの摺動体に取り付けるおそれがある。また、前記隆起部は、小さな部品であるため、紛失しやすい。
【０００４】
本考案は、前記従来の問題点を解決するものであって、ユーザーが好みの筆記体とそれに対応した操作体を軸筒内に交換可能に収容でき、しかも、筆記体及び操作体を迅速且つ確実に交換することができる多芯筆記具を提供しようとするものである。尚、本考案において、「前」とはペン先側を指し、「後」とは反対側を指す。
【課題を解決するための手段】
【０００５】
[１]本考案は、軸筒２内に複数の筆記体５を前後方向に移動可能に収容し、前記各々の筆記体５を弾発体７により後方に付勢し、前記各々の筆記体５の後端に、各々の筆記体５に対応した操作体６を連結し、軸筒２の側壁に前後方向に延びる複数の窓孔４１を径方向に貫設し、前記各々の窓孔４１から径方向外方に前記各々の操作体６を突出させ、一つの操作体６を窓孔４１に沿って前方にスライドさせることにより、その一つの操作体６に連結された筆記体５のペン先５１を軸筒２の前端孔３１から突出させるとともに、先に突出状態にあった他の筆記体５のペン先５１を軸筒２内に没入させる多芯筆記具であって、各々の筆記体５を軸筒２内から取り外し交換可能に構成するとともに、軸筒２が、前端孔３１を備えた前軸３と、該前軸３の後端部に着脱自在に連結される後軸４とからなり、前記後軸４が、窓孔４１と該窓孔４１を前方に開口させる切り欠き部４２とを備え、前記後軸４を前軸３から分離した際に、前記切り欠き部４２を介して操作体６を、軸筒２内から取り外し可能且つ軸筒２内に挿入可能に構成したこと（請求項１）を要件とする。
【０００６】
前記多芯筆記具１（請求項１）は、ユーザーが軸筒２内の筆記体５を取り外して好みの筆記体５に交換できると同時に、操作体６も、軸筒２内から取り外してその筆記体５に適正に対応したものに交換でき、筆記体５と操作体６との誤った連結を防止できる。仮に、操作体６が軸筒２内から取り外し交換できない構成の場合、交換できる筆記体５の種類は、軸筒２内に収容された操作体６に対応した筆記体５のみに限られ、ユーザーが好みの筆記体５を自由に交換できない。また、前記多芯筆記具１（請求項１）は、従来のような小さな部品の交換を必要とせず、迅速且つ確実な交換作業を行うことができる。
【０００７】
尚、前記多芯筆記具１（請求項１）において、各々の筆記体５は、前軸３の後端に開口部を設け、その開口部を介して軸筒２内から取り外し交換される構成が好ましいが、前軸３に前方に開口する開口部を設け、その開口部を介して軸筒２内から取り外し交換される構成でもよい。
【０００８】
［２］前記多芯筆記具１（請求項１）において、筆記体５と操作体６とを連結状態で、軸筒２内から取り外し可能且つ軸筒２内に挿入可能に構成すること（請求項２）が好ましい。
【０００９】
前記多芯筆記具１（請求項２）は、筆記体５及び操作体６を連結状態で、軸筒２内から取り外し可能且つ軸筒２内に挿入可能に構成したことにより、筆記体５及び操作体６の交換作業が、より一層、単純になり、いかなるユーザーでもその交換作業を迅速且つ確実に行うことができる。また、前記多芯筆記具１（請求項２）は、筆記体５と操作体６とを連結状態でユーザーに提供すれば、ユーザーが、筆記体５と操作体６とを連結することが不要となり、筆記体５の交換の際、筆記体５とその筆記体５に対応した操作体６とを誤って連結することを、確実に防止できる。
【００１０】
[３]前記多芯筆記具１（請求項１または２）において、後軸４の前端部が切り欠き部４２によって複数に分割され、前軸３の内部に、前記後軸４の前端部が挿入可能な複数の係合孔３２を設けること（請求項３)が好ましい。
【００１１】
前記多芯筆記具１（請求項４）は、後軸４の前端部（即ち後軸４の前端部の複数に分割された各々の分割片）が、前軸３の係合孔３２に挿入されることにより、後軸４の前端部の径方向内方への変形及び径方向外方への変形を抑えることができる。また、前記多芯筆記具１（請求項４）は、後軸４の前端部の分割された分割本数と係合孔３２の個数を同じに設定することが好ましい。それにより、複数に分割された後軸４の前端部を前軸３の各々の係合孔３２に挿入した際、前軸３と後軸４との周方向の向きを適正な向きに確実に合わせることができる。
【００１２】
[４]前記多芯筆記具１（請求項３）において、前軸３の内壁に、弾発体７の前端が軸方向に当接する弾発体支持部８を設け、弾発体支持部８外壁と前軸３内壁との間に前記係合孔３２を形成すること（請求項４）が好ましい。
【００１３】
前記多芯筆記具１（請求項４）は、弾発体支持部８を用いることにより係合孔３２を形成することが容易となる。尚、前記弾発体支持部８は、前軸３との別部品により構成し、前軸３の内壁に固定されることが好ましいが、前軸３内壁と一体に形成してもよい。
【００１４】
[５]前記多芯筆記具１（請求項１乃至４）において、前記前軸３の内壁に弾発体７の前端が軸方向に当接する弾発体支持部８を設け、前記弾発体支持部８に、弾発体７の前端部を径方向に保持する保持部８２を形成すること（請求項５）が好ましい。
【００１５】
前記多芯筆記具１（請求項５）により、操作体６を軸筒２内から取り外すとき、弾発体７の前端部が保持部８２により径方向に保持されているため、弾発体７が軸筒２内から外部に脱落することを防止できる。もし、弾発体７が軸筒２内から外部に脱落すると、新たな操作体６を挿入する際に再び弾発体７を挿入する手間を要し、その上、弾発体７が紛失するおそれがある。前記保持部８２が弾発体７の前端部を保持する構成は、例えば、弾発体７の前端部外面を径方向内方に保持する構成、または、弾発体７の前端部内面を径方向外方に保持する構成が挙げられる。
【００１６】
[６]前記多芯筆記具１（請求項１乃至５）において、前記各々の操作体６を、連結される筆記体５の内部に収容されたインキの色に着色したこと(請求項６)が好ましい。
【００１７】
前記多芯筆記具１（請求項６）は、各々の操作体６が内部に収容されたインキの色と同じ色または略同じ色に着色され、ペン先突出操作する筆記体５のインキ色を、軸筒２の窓孔４１から露出する操作部６１により、容易に識別することができる。さらに、前記多芯筆記具１（請求項６）は、操作体６の交換時、窓孔４１から突出する操作体６のインキ色を視認することにより、取り外すべき筆記体５に連結された操作体６を、窓孔４１から容易に識別できる。また、前記着色された操作体６が連結された状態の筆記体５が、軸筒２内に収容する前の状態(即ち軸筒２の外部にある状態)の場合、筆記体５のインキ色を、操作体６を視認することによって、比較的遠くからでも容易に識別できる。
【００１８】
尚、本考案で、筆記体５に対応した操作体６とは、筆記体５に対応した識別表示を有する操作体６であることが好ましい。前記識別表示は、例えば、インキ色表示、ペン先サイズの表示、筆跡幅の表示、ペン先種類の表示等が挙げられる。また、本考案で、筆記体５とは、例えば、ボールペン、マーキングペン、シャープペンシル等が挙げられる。尚、本考案で、軸筒２は、筆記体５のペン先５１が突出可能な前端孔３１を備えた前軸３と、側壁に窓孔４１を備え且つ後端に開口部４２を備える後軸４とからなる構成でもよい。また、前記前軸３に対して前記後軸４が前後方向に移動可能に構成し、筆記体５としてシャープペンシルを採用し、前記後軸４の前進により鉛芯の繰り出しを可能にできる。また、本考案で、軸筒２内に収容する筆記体５の本数は、２本以上であればよく、具体的には、２本、３本、４本、５本、６本等が挙げられる。
【考案の効果】
【００１９】
請求項１の多芯筆記具によれば、ユーザーが好みの筆記体に交換できると同時に、操作体も、その筆記体に適正に対応したものに交換でき、筆記体と操作体との誤った連結を防止できる。また、従来のような小さな部品の交換を必要とせず、迅速且つ確実な交換作業を行うことができる。
【００２０】
請求項２の多芯筆記具によれば、筆記体及び操作体の交換作業が、より一層、単純になり、いかなるユーザーでもその交換作業を迅速且つ確実に行うことができる。また、筆記体と操作体とを連結状態でユーザーに提供すれば、ユーザーが、筆記体と操作体とを連結することが不要となり、筆記体の交換の際、筆記体とその筆記体に対応した操作体とを誤って連結することを、確実に防止できる。
【００２１】
請求項３の多芯筆記具によれば、後軸の前端部の径方向内方への変形及び径方向外方への変形を抑えることができる。
【００２２】
請求項４の多芯筆記具によれば、係合孔を形成することが容易となる。
【００２３】
請求項５の多芯筆記具によれば、操作体を軸筒内から取り外すとき、弾発体が軸筒内から外部に脱落することを防止できる。
【００２４】
請求項６の多芯筆記具によれば、ペン先突出操作する筆記体のインキ色を、軸筒の窓孔から露出する操作部により、容易に識別することができる。さらに、操作体の交換時、取り外すべき筆記体に連結された操作体を、窓孔から容易に識別できる。
【考案を実施するための最良の形態】
【００２５】
本考案を実施するための最良の形態を説明する。
【００２６】
図１乃至図５に本考案の実施の形態を示す。
本実施の形態の多芯筆記具１は、軸筒２内に複数本（具体的には２本）の筆記体５が前後方向に移動可能に収容されている。前記各々の筆記体５は、弾発体７（具体的には圧縮コイルスプリング）により、後方に付勢されている。
【００２７】
（軸筒）
前記軸筒２は、先細状の円筒体からなる前軸３と、該前軸３の後端部と着脱自在に連結される円筒状の後軸４とからなる。
【００２８】
（前軸）
前記前軸３は、先細円筒状の前側筒部３３と、該前側筒部３３の後端部に連結される直円筒状の後側筒部３４とからなる。前記前側筒部３３の前端には、筆記体５のペン先５１が突出可能な前端孔３１が軸方向に貫設される。前記前軸３（即ち、前側筒部３３と後側筒部３４）及び後軸４は、合成樹脂（例えば、ポリカーボネイト等）の射出成形により得られる。
【００２９】
（係合孔）
前軸２の内壁（具体的には後側筒部３４の内壁）には、円板状の弾発体支持部８が固着される。前記弾発体支持部８外壁と前軸３内壁との間隙により、２個の係合孔３２が軸線に対して対称位置に形成される。前記係合孔３２は、切り欠き部４２により２分割された後軸４の前端部が挿入される。前記２個の係合孔３２は、前軸３内に後軸４の前端部を挿入する際、前軸３と後軸４との周方向の位置合わせをする。それにより、前軸３と後軸４とを連結したとき、前軸３内の弾発体支持部８の内孔８１と、後軸４側壁の窓孔４１との周方向の互いの位置を適正に配置できる。前記係合孔３２の各々の内面と、前記後軸４の前端部の各々の外面とは、着脱自在に圧入嵌合または凹凸嵌合される。
【００３０】
（後軸）
前記後軸４の後部の側壁には、複数本（具体的には２本）の前後方向に延びる細長状の窓孔４１と、該窓孔４１を前方に開口させる切り欠き部４２とが、径方向に貫設される。前記２本の窓孔４１及び切り欠き部４２は、互いに、軸線に対して対称位置に形成される。前記窓孔４１の内壁の後端が、没入状態の筆記体５の後端部に連結された操作体６が当接可能な当接壁部４１ａとなる。また、前記後軸４の前端部は、前記切り欠き部４２によって二つに分割される。
【００３１】
前記後軸４を前軸３の後端部から取り外した際、各々の窓孔４１が切り欠き部４２を介して前方に開放される。前記前方に開放された窓孔４１から操作体６を容易に取り外して交換することができる。
【００３２】
切り欠き部４２を備える後軸４の前端部は、前軸３の後端開口部に挿入され、前記二つに分割された後軸４の前端部の各々が、前軸３内の各々の係合孔３２に挿入・係合される。
【００３３】
前記後軸４の窓孔４１の相互間の側壁内面には、前後方向に延びるリブよりなる係止壁部４３が形成され、前記係止壁部４３に、ペン先５１が突出した際の筆記体５の操作体６の後端が係止される。尚、図３乃至図５は前記係止壁部４３を省略している。
【００３４】
前記後軸４の窓孔４１の相互間の側壁外面には、クリップ４４が設けられる。
【００３５】
（筆記体）
前記各々の筆記体５は、ボールペンレフィルであり、前端にボールが回転可能に抱持されたボールペンチップ（即ちペン先５１）と、該ボールペンチップを前端に備え且つ後端が開口されたインキ収容管５２とからなる。前記インキ収容管５２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管５２内のインキの後端には、インキの消費に伴い前進する高粘度流体からなる追従体が充填される。
【００３６】
また、前記ボールペンチップは、前端に回転可能に抱持されたボールを弾発体等により前方に付勢し、前端縁部の内面にボールを密接させる構成でもよい。また、ボールペンチップは、インキ収容管５２の前端開口部に圧入等により直接、取り付けてもよいが、本実施の形態ではペン先ホルダーを介してインキ収容管５２の前端開口部に固着される。
【００３７】
（操作体）
前記各々の筆記体５の後端（即ちインキ収容管５２の後端開口部）には、操作体６が取り付けられる。前記各々の操作体６は、後端部に形成され且つ軸筒２の窓孔４１から外部に突出する操作部６１と、該操作部６１の反対側に設けられる前側突出部６２と、該操作部６１の反対側の前側突出部６２の後方に設けられる後側突出部６３と、前端部に形成され且つインキ収容管５２の後端開口部に嵌入される嵌入部６４と、該嵌入部６４の後方に形成される鍔部６５とを備える。前記嵌入部６４は、インキ収容管５２の後端開口部に嵌入された際、インキ収容管５２の後端開口部を完全には塞がず、インキ収容管５２の内部と外部とを通気可能にする。また、前記鍔部６５の前面には、弾発体７の後端が係止される。また、前記操作体６の両方の側壁には抜け止め突起が形成される。前記抜け止め突起は窓孔４１の両方の側壁内面に係合可能である。
【００３８】
筆記体５のペン先５１が没入状態のとき、その筆記体５に取り付けられた操作体６の後端部は、窓孔４１の内壁の後端に形成された当接壁部４１ａに衝止される。一方、筆記体５のペン先５１が突出状態のとき、その筆記体５に取り付けられた操作体６の後端部は、軸筒２の内壁に形成された係止壁部４３に係止される。
【００３９】
ペン先没入状態にある筆記体５の後端に連結された操作体６の前側突出部６２は、その操作体６の操作部６１を前方にスライド操作した際、先に突出状態にある他の筆記体５の後端に連結された操作体６の後側突出部６３と当接され、他の筆記体５のペン先突出状態が解除される。
【００４０】
（識別表示）
前記各々の操作体６は、連結される筆記体５の内部（即ちインキ収容管５２内部）に収容されたインキの色と略同じ色に着色される。具体的には、前記操作体６の各々は、連結される筆記体５のインキ色と略同じ色に着色された合成樹脂の成形体からなる。それにより、前記操作体６は、インキ色表示からなる識別表示を有する。例えば、インキ色が黒色の筆記体５に連結する操作体６は黒色に着色され、インキ色が青色の筆記体５に連結する操作体６は青色に着色され、インキ色が赤色の筆記体５に連結する操作体６は赤色に着色され、インキ色が緑色の筆記体５に連結する操作体６は緑色に着色される。本実施の形態では、インキ色の互いに異なる２本の筆記体５を軸筒２内に収容している。
【００４１】
特に、インキ収容管５２が不透明材料からなる構成の場合またはインキ収容管５２が透明材料からなるとともに内部のインキが染料インキである構成の場合、内部のインキ色を外部より視認することが困難であるが、その場合、操作体６をインキの色と略同じ色に着色したことが有効に作用し、軸筒２外部に存在する交換前の筆記体５において、内部のインキ色を外部より容易に識別できる。
【００４２】
また、各々の筆記体５がペン先５１のボールのサイズが互いに異なるボールペンの場合、ペン先５１のボールの外径寸法を表す数字よりなる識別表示を、操作体６の操作部６１に設けることが好ましい。また、各々の筆記体５がペン先５１の形状が互いに異なる筆記具の場合、ペン先５１の形状に対応した識別表示を、操作体６の操作部６１に設けることが好ましい。また、前記ペン先５１のボールの外径寸法を表す数字からなる識別表示、及びペン先５１の形状に対応した識別表示は、前記インキ色に着色された操作体６の操作部６１に設けることもできる。前記識別表示は、印刷、シール貼付、凸設、凹設等の手段により、操作体６に設けられる。
【００４３】
（弾発体支持部）
前記弾発体支持部８は、筆記体５が挿通される複数（具体的には２個）の内孔８１が軸方向に貫設されている。前記弾発体支持部８の後面と、各々の操作体６の鍔部６５の前面との間には、弾発体７が配置される。前記各々の弾発体７の内部に筆記体５が遊挿されるとともに、各々の弾発体７の前端は弾発体支持部８の後面により係止され、各々の弾発体７の後端は操作体６の鍔部６５の前面に係止される。
【００４４】
また、弾発体支持部８の後面の各々の内孔８１の後方には、前記内孔８１と連通し且つ内孔８１よりも僅かに大きい内径を有する保持部８２が形成される。前記各々の保持部８２の内面は、各々の弾発体７の前端部外面が圧入保持される。それにより、前軸３と後軸４とを分離し、各々の筆記体５及び操作体６を交換する際、軸筒２内から各々の弾発体７が脱落することを防止できる。前記内孔８１と前記保持部８２と間には、弾発体７の前端が当接係止可能な段部が形成される。
【００４５】
前記各々の弾発体７は、各々の操作体６（即ち各々の筆記体５）を、常時、後方に付勢している。前記各々の弾発体７は、ペン先突出状態及びペン先没入状態のいずれにおいても圧縮状態（即ち筆記体５が後方に付勢された状態）にあり、それにより、各々の操作体６の前後のがたつきが防止される。
【００４６】
（ペン先の出没）
本実施の形態におけるペン先５１の出没作動について説明する。
一つの操作体６の操作部６１を弾発体７の後方付勢に抗して窓孔４１に沿って前方にスライド操作すると、そのスライド操作された操作体６の前側突出部６２が、先に突出状態にある他の筆記体５の操作部６１の後側突出部６３を径方向外方に持ち上げる。それにより、軸筒２内壁の係止壁部４３と操作体６との係止状態が解除され、他の筆記体５が弾発体７の後方付勢により後方に移動され、他の筆記体５のペン先５１が軸筒２内に没入され、他の筆記体５の操作部６１の後端が、窓孔４１の内壁の後端の当接壁部４１ａに当接・衝止される。前記他の筆記体５のペン先５１の没入と同時に、前記前方にスライド操作した操作体６に連結された筆記体５のペン先５１が、軸筒２の前端孔３１より外部に突出されるとともに、前方にスライド操作された操作体６の後端が軸筒２内壁の係止壁部４３に係止され、そのペン先５１の突出状態が維持される。
【００４７】
（筆記体及び操作体の交換）
本実施の形態における筆記体５及び操作体６の交換について説明する。
筆記体５を交換する際、前軸３と後軸４との連結状態（図３参照）から、前軸３と後軸４を分離する（図５参照）。そして、前記窓孔４１の前方の切り欠き部４２から操作体６を取り出し、その操作体６と互いに連結状態にある筆記体５を、前軸３の後端開口部から取り出す。その後、新たな筆記体５に連結状態にある新たな操作体６を、後軸４の切り欠き部４２から窓孔４１内に挿入し、前記新たな操作体６が連結状態にある新たな筆記体５を、前軸３の後端開口部から前軸３内の弾発体支持部８の内孔８１に挿入しながら、切り欠き部４２を有する後軸４の前端部を前軸３の係合孔３２に挿入・係合させ、前軸３と後軸４とを再び連結状態（図３参照）にする。これにより、筆記体５及び操作体６の交換が終了する。
【図面の簡単な説明】
【００４８】
【図１】本考案の多芯筆記具の実施の形態の全ペン先没入状態（非筆記時）を示す縦断面図である。
【図２】図１の多芯筆記具の一つのペン先が突出した状態（筆記時）を示す縦断面図である。
【図３】図１の多芯筆記具のＡ−Ａ線断面図である。（但し、筆記体、操作体、弾発体、及び係止壁部を省略した。）
【図４】図３のＢ−Ｂ線断面図である。
【図５】図３の多芯筆記具の前軸と後軸とを分離した状態を示す縦断面図である。（但し、筆記体、操作体、弾発体、及び係止壁部を省略した。）
【符号の説明】
【００４９】
１  多芯筆記具
２  軸筒
３  前軸
３１  前端孔
３２  係合孔
３３  前側筒部
３４  後側筒部
４  後軸
４１  窓孔
４１a  当接壁部
４２  切り欠き部
４３  係止壁部
４４  クリップ
５  筆記体
５１  ペン先（ボールペンチップ）
５２  インキ収容管
６  操作体
６１  操作部
６２  前側突出部
６３  後側突出部
６４  嵌入部
６５  鍔部
７  弾発体
８  弾発体支持部
８１  内孔
８２  保持部
【図１】
0003143311.tif 000003
【図２】
0003143311.tif 000004
【図３】
0003143311.tif 000005
【図４】
0003143311.tif 000006
【図５】
0003143311.tif 000007